(57)【特許請求の範囲】
【請求項１】
放電ランプの一方の口金を着脱させて、当該放電ランプを吊り下げるように保持する放電ランプ用ホルダーであって、
前記放電ランプの口金が当接している状態で当該口金を上下動もしくは回転させることで可動するロック機構と、
このロック機構の可動により、放電ランプを落下しない程度に仮固定もしくはこの仮固定を解除するフック機構と、
前記仮固定後に、前記フック機構をより強固に働かせる固定機構を有することを特徴とする放電ランプホルダー。
【請求項２】
一端に口金が装着された放電ランプと、この放電ランプを吊り下げるように着脱させる放電ランプホルダーからなる放電ランプ保持機構であって、
前記放電ランプホルダーは、
放電ランプの口金が当接している状態で当該口金を上下動もしくは回転させることで可動するロック機構と、
このロック機構の可動により、放電ランプを落下しない程度に仮固定もしくはこの仮固定を解除するフック機構と、
前記仮固定後に、前記フック機構をより強固に働かせる固定機構を有することを特徴とする放電ランプ保持機構。
【発明の詳細な説明】
【技術分野】
【０００１】
この発明は放電ランプ用ホルダーおよび放電ランプ保持機構に関する。特に、大型化しホルダーへの取り付け作業が困難な放電ランプに対するホルダーおよび放電ランプ保持機構に関する。
【背景技術】
【０００２】
近年、半導体や液晶の露光、その他の微細加工の分野でフォトリソグラフィの光源としてショートアーク型水銀ランプを用いた露光技術が利用されている。
フォトリソグラフィにおける光源は、フォトレジストが感度を有する波長３６５ｎｍ（ｉ線）の光を効率良く放射する水銀ランプが適用され、また、液晶やプリント基板の露光では、波長３５０ｎｍ〜４５０ｎｍの光を放射する水銀ランプが適用される。水銀ランプは発光物質として水銀が封入されるとともに、始動用ガスとしてアルゴン、キセノンなどの希ガスが封入される。
このような水銀ランプは、例えば、特開平９−２１３１２９号に示されるように凹面反射鏡と組み合わせて光学系を構成する。
【０００３】
露光装置は、露光すべき面積が大きくなる一方で、処理時間（スループット）は短くなる傾向にあり、光源である水銀ランプも、入力を増加させることで露光量を増加させる傾向にある。
しかし、ランプ入力の増大はランプを物理的に大型化させることとなり、反射ミラーへの組み付ける作業が一段と煩雑化してしまう。
特に、ランプが大型化すると、寸法的にも重量的にも作業者がランプを保持することが困難になり、前記特開平９−２１３１２９号に示すように吊り下げてランプを保持する構造の場合、ランプを吊り下げた状態で保持しつつ、同時に、ネジ止めなどの固定作業をする必要があって困難を極める。さらに、ランプが大型化すると反射ミラーも大型化する。上記作業は反射ミラーの内部空間から反射ミラーの頂部開口にランプの口金を通し、反射ミラーの内側空間でランプの一端を保持しつつ、反射ミラーの頂部開口の外側でネジ止めなどの固定作業をする必要がある。この場合、反射ミラーの内側空間において片手でランプを保持するとともに、もう一方の片手でネジ止め作業をしなければならない。この作業は、ランプが大型化すると、片手で保持することが困難となり、時として、ランプを落下させたり、反射ミラーを傷つけるという問題を生じた。
【特許文献１】特開平９−２１３１２９号
【発明の開示】
【発明が解決しようとする課題】
【０００４】
この発明が解決しようとする課題は、大型化したランプであっても、容易に取り付けることができるランプ用ホルダーを提供することである。
【課題を解決するための手段】
【０００５】
上記課題を解決するために、この発明に係る放電ランプ用ホルダーは、放電ランプの一方の口金を着脱させて、当該放電ランプを吊り下げるように保持する放電ランプ用ホルダーであって、前記放電ランプの口金が当接している状態で当該口金を上下動もしくは回転させることで可動するロック機構と、このロック機構の可動により、放電ランプを落下しない程度に仮固定もしくはこの仮固定を解除するフック機構と、前記仮固定後に、前記フック機構をより強固に働かせる固定機構を有することを特徴とする。
【０００７】
また、この発明に係る放電ランプ保持機構は、一端に口金が装着された放電ランプと、この放電ランプを吊り下げるように着脱させる放電ランプホルダーからなる放電ランプ保持機構であって、前記放電ランプホルダーは、放電ランプの口金が当接している状態で当該口金を上下動もしくは回転させることで可動するロック機構と、このロック機構の可動により、放電ランプを落下しない程度に仮固定もしくはこの仮固定を解除するフック機構と、前記仮固定後に、前記フック機構をより強固に働かせる固定機構を有することを特徴とする放電ランプ保持機構。
【発明の効果】
【００１１】
この発明に係る放電ランプ用ホルダーは、上記構成を有することで、放電ランプの口金を放電ランプ用ホルダー（以下、単に「ホルダー」ともいう）の挿入孔に差し込むだけで、この挿入孔内部に設けられたロック機構が可動して、このロック機構の可動により、放電ランプの口金の一部と自動的に係止するフック機構が作動して、両者の仮固定を達成する。
つまり、従来のように、片手でランプを保持しつつ、他方の片手でランプを固定させるという困難を必要とせず、ランプの口金をホルダーの挿入孔に差し込むだけでランプとホルダーを固定することができる。
【発明を実施するための最良の形態】
【００１２】
図１は、この発明に係る放電ランプ用ホルダーと放電ランプ保持機構を示す。
放電ランプ１０（以下、単に「ランプ」ともいう）は、反射ミラー２０の頂部開口を通過して、放電ランプ用ホルダー３０（以下、単に「ホルダー」ともいう）に取り付けられる。ここで、ランプ１０とホルダー３０を放電ランプ保持機構とし、ランプ１０、反射ミラー２０、ホルダー３０を光源装置と称する。なお、反射ミラー２０とホルダー３０は、図示略の機構により露光装置などの装置に固定される。
【００１３】
図２は、ランプ１０のみを示す図面であり、例えば、石英ガラスからなる発光管部１１を略中央に有し、その両端にロッド状の封止部１２ａ、１２ｂが伸びるように一体的に形成される。発光管部１１は球形、あるいは管軸方向（図面の上下方向）に細長く伸びる紡錘形になっており、その内部は気密空間が形成されて、発光物質である水銀や始動用ガスであるキセノンやアルゴンが封入される。また、発光管部１１の内部には陽極１３と陰極１４が対向配置しており、その先端同士の間隔が放電ギャップとして形成される。放電ギャップは電極間距離でもあり、例えば、５ｍｍ程度となる。封止部１２ａ、１２ｂの先端には、キャップ状の口金１５ａ、１５ｂが装着しており、外部リード１６ａ、１６ｂが突出している。
このランプ１０は、何れかの電極を上方に、他方の電極を下方に位置させる垂直配置をしており、この実施例では陰極を下方に、陽極を上方に配置している。
【００１４】
図１に戻り、反射ミラー２０は、例えばガラス基材の反射面に多層膜をコーティングしたもので、全体が凹面形状でランプ１０からの放射光を良好に反射する。反射ミラー２０は楕円集光鏡が用いられることが多く、その場合は、放電ランプ１０のアークと、反射ミラー２０の第一焦点を一致させる必要がある。このアークは、一般に、放電ギャップ間に形成されるので、反射ミラー２０の第一焦点に放電ギャップ間の適当な箇所が来るようにランプを設置する。
【００１５】
ランプ１０や反射ミラー２０は、近年、大型化している。前述のとおり、この発明のランプ用保持ホルダーやランプ保持機構は、ランプや反射ミラーが大型化した場合に、特に有用となる。
ランプ１０について、数値例を示すと、ランプ電力は定格値５ＫＷ〜４０ＫＷ、発光管部１１の最大外径（電極の伸びる方向に垂直な方向の径）は５０ｍｍ〜２５０ｍｍである。また、ランプの重量は１ｋｇ〜５ｋｇである。
また、反射ミラー２０について、数値例を示すと、前面開口はφ３００ｍｍ〜１０００ｍｍであり、ランプが伸びる方向の奥行きは２００ｍｍ〜８００ｍｍである。
【００１６】
図３は、図１に示す光源装置を、図１とは異なる方向から眺めた状態を示し、反射ミラー２０の一部を切り欠いて反射ミラー２０の内部構造を表現している。
反射ミラー２０の頂部開口２１は、ランプ１０の封止部１２ａが通過できるだけの大きさを少なくとも必要とするが、図に示すように、発光管部１１が通過できる大きさであってもかまわない。しかし、頂部開口２１があまりに大きいと、ランプ１０の放射光が、頂部開口２１から漏れてしまい光の利用効率が低下する。
【００１７】
図４は、本発明に係るホルダーを示し、特に、ランプが装着していない状態の内部構造を示す。
ホルダー３０は、ホルダー筐体３００を基体として、口金保持片３１、ロック機構部３２、口金当接部３３、口金固定部３４を主構成とする。本実施例では、請求項で表現する「フック機構」が口金保持片３１を意味し、「ロック機構」がロック機構部３２と口金当接部３３を意味し、「固定機構」が口金固定部３４を意味する。
【００１８】
口金保持片３１は、ランプ１０の口金１５を保持するための機能を有し、口金１５の外表面に当接するホールド部３１１と、このホールド部３１１が矢印の方向に動くために軸となるヒンジ部３１２と、同じくヒンジ部３１２を軸として動くロック受け部３１３と、口金受け部３１４および口金保持片３１の後端部に設けられた固定部３１５から構成される。
ホールド部３１１、ロック受け部３１３、口金受け部３１４、固定部３１５は、例えば真鍮の一体物で構成しており、ヒンジ部３１２は別部材として差し込まれる。
口金保持片３１は、ホルダー３０の中に均等間隔で３つ形成しており、ランプ１０の口金１５が挿入することで、ホールド部３１１が矢印方向に動いて口金１５を保持する。ホールド部３１１による口金１５の当接は、仮固定と本固定を有するが、この点は後述する。なお、３つの口金保持片３１の各ホールド部３１１により挿入孔が形成される。
【００１９】
ロック機構部３２は、口金保持片３１を仮固定する機能を有し、ノコギリ刃状のリングであるロック駆動部３２１、その外周を覆うように枠として配置するロック機構外枠部３２２から構成される。
【００２０】
図５は、ロック機構部３２を、ロック駆動部３２１とロック機構外枠部３２２に分解したものであり、図４の説明とともに参照となる。
ロック駆動部３２１は、駆動ガイド３２１１と駆動ガイド３２１２を有し、全体として、略ノコギリ刃状である。
ロック機構外枠部３２２は、ロック駆動部３２１の回転を制御するフランジ状の回転ガイド３２２１と、保持片の動きを仮止めする爪部３２２２から構成される。
ロック駆動部３２１は、例えばステンレス鋼からなる一体物であり、ロック機構外枠部３２２も、例えばステンレス鋼からなる一体物である。
【００２１】
口金当接部３３は、全体が概略円筒形状であって、駆動ガイド３２１１と組になって働くピン３３１と、駆動ガイド３２１２と組になって働くピン３３２と、口金当接部３３が上下方向にガイドするためのピン３３３と、ランプの口金が接触する下面部３３４と、外壁に設けられた切欠溝３３５から構成される。
口金当接部３３は、下面部３３４に放電ランプの口金が当接することで押し上げられ、例えばステンレス鋼から構成される。
【００２２】
口金固定部３４は、ホルダー筐体３００の外周に形成され、口金とホルダーが仮固定をした後で、口金固定部３４を周方向に回すことで口金の保持を強固にする。この固定が本固定である。
具体的な構造は、図では省略しているが、ホルダー筐体３００の外周面と口金固定部３４の内周面にねじ構造が形成され、口金固定部３４を回すことで、口金固定部３４の内面が口金保持片３１の固定部３１５を締め付け、結果として、口金保持片３１（ホールド部３１１）をより強く放電ランプの口金に当接させる。口金固定部３４の外表面は、例えばローレット加工が施されて手動により回転しやすい構造をなしている。なお、本固定の様子は、後述する図７（ｅ）も参照される。
【００２３】
図６は、ホルダー３０であって、ランプが装着した状態の内部構造を示す。
封止部１２の先端には概略キャップ状の口金１５が装着される。口金１５は、ホルダーの口金保持片３１と当接する小径部１５１、ホールド部３１１の周縁と係合することで位置決めを行う段部１５２、ホルダーの口金当接部３３と接触して口金当接部３３を押し上げる大径部１５３からなる。大径部１５３の先端は、若干、球面形状になっており、ホルダーの口金当接部３１に端部開口を押し当てる。
【００２４】
口金１５は、例えば真鍮により構成され、小径部１５１はランプをホルダー３０に固定するための場所として働く。また、小径部１５１と口金保持片３１の当接を利用して電気的接点として給電経路を形成させてもよい。なお、図２に示したように外部リード１６を有する場合は口金当接部３３の内部空間を介して給電線を導いて経路を形成してもよい。
【００２５】
段部１５２は、ランプ１０がホルダー３０に挿入された後、ランプ１０がホルダー３０に本固定されるまでの間、ランプがホルダー３０から抜けないよう仮固定のための位置として機能する。また、この場所はミラーの第一焦点とアークの位置を合わすための基準線にできる。特に、この部分の角度を４５°±５とすれば、ランプ１０をホルダー３０から取り出すときに、ランプ１０が口金保持片３１に引っ掛かることを防止できる。
大径部１５３は、ランプ１０をホルダー３０に挿入するときに、ホルダーの口金受け部３１４と接触する。また、口金当接部３３を押し上げることで、ホルダー３０のロック駆動の原動力となる。
【００２６】
次に、ホルダー３０の動作を説明する。
ランプ１０が、ホルダー３０内に挿入されると、ランプ１０の口金１５がホルダー３０の口金当接部３３を押し上げ、さらに、口金受け部３１４に接触して口金保持片３１を閉まる方向に動かす。これは、口金保持片３１がヒンジ部３１２を支点として回転するもので、この回転により、ロック受け部３１３では、図のように、爪部３２２２がロック受け部３１３に入りやすくなるように後方に開く。口金保持片３１のホールド部３１１は口金の小径部１５１と当接し、口金とホルダーの仮固定を達成する。
その後、口金固定部３４を回すと、その内面あるいは下面が口金保持片３１の固定部３１５に当接し、口金保持片３１を内方に押し付ける力が働き、口金保持片３１と口金の保持が強固になり、本固定が達成される。
【００２７】
ヒンジ部３１２は、口金保持片３１の重心より、ホルダー軸（ランプの挿入方向に伸びる、ホルダーの仮想中心軸）から離れた方向に取り付けられる。これにより、口金保持片３１は、口金が挿入される前においては、自重により先端のホールド部３１１がホルダー軸から離れるよう、すなわち、挿入孔を広げるように働く。
従って、ランプを挿入する前に、口金保持片３１が開いた状態になることで、口金は障害なくホルダー３０の中に挿入できる。
このような構造は、口金保持片の自重によるのではなく、バネなどの弾性部材を使うことでもできる。しかし、口金１５およびホルダー３０は、ランプ点灯中に極めて高温（例えば３００℃以上）になるため、弾性部材に対する熱的影響を考慮すると、上記のようにヒンジ部３１２の取り付け位置により、口金保持片３１の自重で挿入孔を広げる構成は簡易で信頼性が高い。
【００２８】
口金保持片３１は、図では２つしか示していないが、円周方向に均等に３ヶ所配置しており、全ての口金保持片が、前記した口金の保持構造を有している。
しかしながら、一部の口金保持片について図４〜図６に示す構造を採用するとともに、他の口金保持片は固定、すなわち、口金の挿入により可動しない構造を採用できる。
口金保持片３１の数は３個に限定されるものではないが、円周方向に３個設けることは、口金の過不足なく接触することができ、その時の口金の位置を１つに決めるので好ましい。
【００２９】
ロック機構部３２と口金当接部３３は、口金がホルダー内に挿入された場合のロック状態のオンーオフ動作の駆動源となる。
口金当接部３３は、ホルダー内を上下に移動するが、口金当接部３３に固定されたガイドピン３３３と、ホルダー筐体３００に固定されたガイド溝３１０によって、移動方向が規制される。
【００３０】
ホルダー内の各機構の動きを具体的に説明する。まず、口金がホルダーに装着される場合について説明する。
図４において、口金がホルダー内に挿入されて、口金当接部３３が上方に移動すると、口金当接部３３に固定されたピン３３１が駆動ガイド３２１１に当たる。ピン３３１が駆動ガイド３２１１の下面に沿って動くことで、ロック機構部３２を回転させる。具体的には、ピン３３１は駆動ガイドのガイド位置３２１１ａで当接し、ロック機構部３２を左周りに回転させ、ガイド位置３２１１ｂに到達すると、ロック機構部３２の回転を停止させる。
このとき、ロック機構部３２と一体に形成される爪部３２２２も同様に左周りに回転し、ロック受け部３１３と当接する。ロック受け部３１３は、前記したように、後方に開いているので爪部３２２２はロック受け部３１３に当接しやすい。
なお、ロック機構部３２は、ロック駆動部３２１とロック機構外枠部３２２からなるが、両者は、例えばピン３２３によって一体に固定される（図５参照）。
【００３１】
口金１５は、ピン３３１がガイド位置３２１１ｂまで到達すると、それ以上は上昇しない。この状態において、口金（放電ランプ）から手を放すと、口金は口金の段部１５２が口金保持片３１のホールド部３１１に係止する位置まで自重で落下して、それに伴い、口金当接部３３も下方に落下する。
ここで、口金当接部３３の落下に伴い、ピン３３２はガイド３２１２と当接し、ガイド３２１２の傾斜構造に従ってロック機構部３２を左周りに回転させる。具体的には、ガイドのガイド位置３２１２ａでピン３３２と当接して、ガイド位置３２１２ｂまでロック機構部３２を回転させるとともに、ピン３３２がガイド位置３２１２ｂまで到達するとロック機構部３２の回転は停止する。
【００３２】
ここで、ガイド３２１２とピン３３２によって、ロック機構部３２を回転させる理由は、ガイド３２１１とピン３３１の位置関係を初期状態に設定するためである。つまり、次に、口金を押し上げる時に、ピン３３１はガイド位置３２１１ａにおいて当接できるよう位置設定するためである。
【００３３】
口金保持片３１のホールド部３１１は、口金の段部１５２で係止して位置決めする。このとき、爪部３２２２は、ロック受け部３１３で当接しており、この状態が仮固定である。なお、口金当接部の下方への移動は自重による具体例を説明したが、バネなどの弾性部材を用いてもよい。
【００３４】
その後、前記したように口金固定部３４を左周りに回すことで、口金固定部３４の内面あるいは下面が、口金保持片３１の固定部３１５に外面に当接し、口金保持片３１を押し付けるような力が働き、口金保持片３１と口金の保持が強固になって本固定が達成される。具体的には、図示略であるが、口金固定部３４の内側表面と、ホルダー筐体３００の外側表面は、ネジ構造のような係合構造になっている。口金固定部３４を左回りに回すと、口金固定部３５のホルダー筐体３００における位置が変化して、口金固定部３４はホルダー筐体３００の下方に移動する。この移動によって、口金固定部３４は口金保持片３１の固定部３１５まで到達して本固定が行われる。
なお、本固定されたときは、口金がホルダー内で動いたり、口金当接部３３が上下に動いたり、あるいは、ロック機構部３２が回転したりすることはない。
【００３５】
次に、口金（ランプ）をホルダーから外す場合について説明する。
まず、口金固定部３４をホルダー筐体３００に対して右周りに回転させることで、口金１５とホルダー３０の本固定は解除され仮固定の状態となる。
この状態で、装着時と同じように、口金を上方に押し上げと、ピン３３１とガイド３２１１の関係により、ロック機構部３２は左周りに回転する。このロック機構部３２の回転により、爪部３２２２も左周りに回転して、ロック受け部３１３と爪部３２２２の関係は当接しない状態となり、口金保持片もフリーの状態となって、ヒンジ部によって口金保持片先端のホールド部３１１が開くようになる。
ピン３３１が、ガイド位置３２１１ｂまで到達すると、ロック機構部３２の回転は停止し、かつ、口金当接部３３はランプを押し上げても、それ以上に上がらない状態となる。
この状態において、ランプを下方に引き抜くと、ランプはホルダーから外れ、また、口金当接部３３は自重により下方に落下する。
この口金当接部３３の落下は、ピン３３２がロック機構部３２のガイド３２１２に当接して、ガイド３２１２の傾斜構造にしたがって動くことで、ロック機構部３２を左周りに回転させる。この回転は取り付け時と同じであり、ピン３３１とガイド３２１１の位置関係を初期状態に設定するためである。
【００３６】
ピン３３１とピン３２２は、口金当接部３３の円周方向に１つずつ形成され、ガイド３２１１とガイド３２１２は、ロック機構部３２の円周方向に形成される。一方、爪部３２２２は、ロック機構外枠部３２２の円周方向に３個形成され、ロック受け部３１３は爪部３２２２と当接する状態と、当接しない状態がそれぞれ３個ずつ交互に形成される。
つまり、口金をホルダー内で１回押し上げるたびに、ロック機構部３２は円周方向に六分の一ずつ（６０°ずつ）回転することになり、爪部３２２２とロック受け部３１３は、当接状態と非当接状態が、回転方向６０°毎に繰り返すこととなる。
【００３７】
以上のように、本発明に係る放電ランプ用ホルダーおよび放電ランプ保持機構は、ホルダー内に放電ランプの口金を挿入するだけで、まず、放電ランプが落下しない程度に仮固定し、当該状態で放電ランプを離して本固定することができる。このため、従来のように、片手で放電ランプを保持しつつ、もう一方の片手で装着作業、例えば、ネジ止めを行う必要がないので、きわめて安全に装着、脱着作業ができる。特に、放電ランプが大型化した場合に有用となる。
【００３８】
なお、本発明に係る放電ランプ用ホルダーおよび放電ランプ保持機構は、放電ランプを吊り下げて保持する場合に有用である。なぜなら、仮固定において、ランプを手放しても、放電ランプの落下を防止できるからである。
【００３９】
図７は、口金（放電ランプ）をホルダーに装着する時のホルダーの駆動原理を模式的に表したものである。図７は、便宜上、図４、図５、図６で説明したホルダー筺体３００、口金保持片３１、ロック機構部３２、口金当接部３３を使って簡略化させるとともに、一部の図ではより細かく部材を登場させている。また、理解の便宜上、口金保持片３１を２個有する構造を示す。
口金保持片３１は、先端のホールド部が広がった状態を「開く」、ホールド部が閉じた状態を「閉じる」とし、ロック機構部３２は、爪部がロック受け部と当接した状態を「固定」、当接していない状態を「解除」とし、口金当接部３３は下方に下がった状態と、上方に押し上げられた状態で表現される。
（ａ）は口金１５をホルダーに装着する直前の状態である。口金保持片３１は「開く」の状態、ロック機構部３２は「解除」の状態、口金当接部３３は「下がり」の状態にある。
（ｂ）は口金１５がホルダーの中に入り、口金１５が口金保持片３１と口金当接部３３に当接し始めた状態である。口金保持片３１は「開く」から「閉じる」へ移行中、ロック機構部３２は「解除」から「固定」へ移行中、口金当接部３３は上昇中の状態にある。
（ｃ）は口金１５がホルダー内に入り、口金当接部３３が一番上まで押し上げられた状態である。口金保持片３１は「閉じる」の状態、ロック機構部３２は回転が止まり「固定」の状態、口金当接部３３は「上がり」の状態にある。特に、ロック機構部３２の爪部３２２２が口金保持片３１のロック受け部３１３と当接していることがわかる。
（ｄ）は口金１５を手放した状態、すなわち、仮固定の状態である。口金保持片３１は「閉じる」の状態、ロック機構部３２は「固定」の状態、口金当接部３３は「下がり」の状態にある。また、ロック機構部３２は次の押し上げに備えた初期設定の位置にある。
（ｅ）はホルダー筐体３００の口金固定部を回転させて口金１５とホルダーを本固定した状態である。口金は、（ｄ）の状態から口金固定部３４を回転させるまでの間に自重により落下して、口金の段部１５２において口金保持片３１と係合している。口金保持片３１は「閉じる」の状態、ロック機構部３２は「固定」の状態、口金当接部３３は「下がり」の状態にある。
【００４０】
図８は、口金（放電ランプ）をホルダーから取り外すときの、ホルダーの駆動原理を模式的に表したものである。図７と同様に、図４、図５、図６で説明したホルダー筺体３００、口金保持片３１、ロック機構部３２、口金当接部３３を使って簡略化させるとともに、一部の図において、より細かく部材を登場させている。口金保持片３１は、先端のホールド部が広がった状態を「開く」、ホールド部が閉じた状態を「閉じる」とし、ロック機構部３２は、爪部がロック受け部と当接した状態を「固定」、当接していない状態を「解除」とし、口金当接部３３は下方に下がった状態と、上方に押し上げられた状態で表現される便宜上、図４から図６で説明した口金当接部、ロック機構部、口金保持片、ホルダー筺体のみを使って簡略化させている。
【００４１】
（ａ）は口金１５がホルダーに本固定された状態であり、図７（ｅ）と同じ状態にあり、口金保持片３１は「閉じる」の状態、ロック機構部３２は「固定」の状態、口金当接部３３は「下がり」の状態にある。
（ｂ）は口金固定具３４を解除させた、いわゆる仮固定の状態であり、図７（ｄ）と同じ状態である。口金保持片３１は「閉じる」の状態、ロック機構部３２は「固定」の状態、口金当接部３３は「下がり」の状態にある。
（ｃ）は口金１５をホルダー内で上方に押し上げロックが回転した状態である。口金保持片３１は「閉じる」、ロック機構部３２は「固定」から「解除」になり、口金当接部は一番上がった状態にある。特に、ロック機構部３２の解除は、爪部３２２２がロック受け部３１３から外れていることで理解できる。
（ｄ）は口金１５がホルダーから出る寸前の状態である。口金保持片３１は「開き」、ロック機構部３２は「解除」、口金当接部３３は一番下がった状態にある。
【００４２】
図９、図１０は、本発明に係る放電ランプ用ホルダーおよび保持機構の他の実施例を示す。図９は斜め上方から見た状態の変化を示し、図１０は真横から見た状態の変化を示す。図９と図１０の図面のうち、（ａ−１）と（ｂ−１）、（ａ−２）と（ｂ−２）、（ａ−３）と（ｂ−３）、（ａ−４）と（ｂ−４）、（ａ−５）と（ｂ−５）は、それぞれ同一の状態を異なる方向から見た関係となる。
【００４３】
図４〜図８に示した構造が、口金の挿入当接により、ホルダーの口金当接部を押し上げて、ロック機構部を自動的に回転させることで仮固定を行っていたのに対し、この図９に示す構造は、ロック機構部４２と口金当接部４３が一つの部材（ロック機構）として機能する。口金当接部４３の回転により、ロック機構部４２も回転し、口金保持片４１を仮固定することで口金も同様に仮固定する。
口金保持片４３は、基本的な構造は図４の構造と同じであり、先端のホールド部が広がった状態を「開く」、ホールド部が閉じた状態を「閉じる」とする。ロック機構部４２は、短冊形状の板部材からなり先端が爪部と同様の働きをする。ロック機構部４２の先端がロック受け部４１３と当接した状態を「固定」、当接していない状態を「解除」とする。口金当接部４３は、図４の構造と異なり上下動せず、中心軸に対して回転方向に動くのみである。口金当接部４３のキー溝４３ａと口金のキー１６ａが係合した状態を「係合」、離れた状態を「非係合」とする。
【００４４】
（ａ−１）と（ｂ−１）は、口金１５をホルダーに差し込む直前の状態を示す。ホルダーは、前記実施例と同様にヒンジ部の位置により、口金保持片４１が開いた状態になっている。口金当接部４３にはキー溝４３ａが形成され、口金１５の外部リード１６のキー１６ａと係合する関係にある。ロック機構部４２と口金当接部４３は一体に結合しており、口金当接部４３を回転させると同様にロック機構部４２も回転する構造になっている。
この状態は、口金保持片４１は「開く」ロック機構部４２は「解除」、口金当接部４３は「非係合」の状態にある。
【００４５】
（ａ−２）と（ｂ−２）は、口金１５がホルダーに差し込まれ、仮固定した状態を示す。口金１５のキー１６ａが、口金当接部４３のキー溝１６ａに係合して、口金を左周りに回転させる。この回転により、ロック機構部４２も同様に左周りに回転して、先端が口金保持片４３のロック受け部４１３に当接することで仮固定が完了する。なお、口金１５の先端が口金当接部４１４（ｂ−１参照）に接触することで口金保持片４１は閉まる方向に動き、これによりロック受け部４１３も開くことで、ロック機構部４２が当接しやすくなっている。また、ロック受け部４１３にはロック機構部４２の回転を停止させる構造が形成される。
この状態は、口金保持片４１は「閉まる」、ロック機構部４２は「固定」、口金当接部４３は「係合」の状態にある。
【００４６】
（ａ−３）と（ｂ−３）は、口金１５がホルダーに本固定された状態を示す。
口金１５は、前記仮固定の状態から自重により落下して、口金の段部１５２が口金保持片に引掛かって停止している。そして、口金固定部４４を回転させることで口金保持片４１との強固な固定が完了する。口金固定部４４も短冊形状の板状部材からなり、ロック機構部４２を同様の方向に回転するが、ロック機構部４２より厚いため、口金固定部４４と口金保持片４１が当接すると口金とホルダーは全く可動できない状態となる。
この状態は、口金保持片４１は「閉まる」、ロック機構部４２は「固定」、口金当接部４３は「係合」の状態にある。
【００４７】
（ａ−４）と（ｂ−４）は、口金１５をホルダーから取り外す状態であり、本固定と仮固定が解除された状態を示す。
まず、口金固定部４４を回転させて本固定を解除する。口金を少し持ち上げてキー１６ａとキー溝４３ａを係合させてから、口金ごと回転させることで、ロック機構部４２が回転して仮固定が解除する。図において、口金固定部４４とロック機構部４２が口金保持片４１と当接していないことがわかる。
この状態は、口金保持片４１は「閉まる」、ロック機構部４２は「解除」、口金当接部４３は「非係合」の状態にある。
【００４８】
（ａ−５）と（ｂ−５）は、口金１５をホルダーから外した状態を示す。
口金をそのまま引き下げることでホルダーから外すことができる。
この状態は、口金保持片４１は「開く」、ロック機構部４２は「解除」、口金当接部４３は「非係合」の状態にある。
【００４９】
図９、図１０の構造について、一例を示すと、ロック機構部４２はステンレス鋼（材料）からなり厚み約1〜3ｍｍ、口金固定部４４はステンレス鋼（材料）からなり厚み約２〜５ｍｍである。口金当接部４３は真鍮（材料）からなり、口金の外部リード１６は真鍮（材料）からなる。
【００５０】
このように図９、図１０に示す構造は、口金当接部の上下動を必要とするものではなく、口金が口金当接部に当接した状態で、口金を回転させるという極めて簡易な動作により、両者を仮固定することができる。さらに、その後、口金固定部を回転させるという簡易の動作により本固定も達成できる。
いずれにしても、ランプ（口金）をホルダーに挿着させる場合に、口金をホルダーに差し込むだけで、手を離してもランプを吊り下げた状態で保持できる（仮固定）を達成することができる。その後、両手により両者を本固定することで、ランプが大型化しても極めて安全に作業することができる。これはランプをホルダーから脱着する場合も同様である。
【００５１】
なお、本発明に係る放電ランプ用ホルダーおよび保持機構は、図４に示した構造や図９に示した構造だけに限定するものではなく、ホルダーが口金当接部やロック機構部のような構成を持つロック機構、および口金保持片のような構成を持つフック機構を有するとともに、口金をホルダーに差し込むだけでロック機構やフック機構が作動して、手を離してもランプを吊り下げることができる仮固定の状態を達成することができるものであれば、他の構成も採用できる。
【００５２】
以上、説明したように本発明に係る放電ランプ用ホルダーおよび放電ランプ保持機構は、ホルダーに口金が当接することで可動するロック機構と、このロック機構の可動により自動的に口金の一部と係止するように動くフック機構を設けることで、ランプとホルダーを仮固定させた後、ランプを手放しても保持できる状態において、ランプとホルダーを本固定することで、ランプが大型化しても、極めて簡易かつ安全にランプをホルダーに装着することができる。
【図面の簡単な説明】
【００５３】
【図１】本発明に係る放電ランプ用ホルダーおよび保持機構を有する光源装置を示す。
【図２】本発明に係る放電ランプを示す。
【図３】本発明に係る放電ランプ用ホルダーおよび保持機構を有する光源装置を示す。
【図４】本発明に係る放電ランプ用ホルダーを示す。
【図５】本発明に係る放電ランプ用ホルダーのロック機構部を示す。
【図６】本発明に係る放電ランプ用ホルダーを示す。
【図７】本発明に係る放電ランプ用ホルダーと口金の駆動原理を示す。
【図８】本発明に係る放電ランプ用ホルダーと口金の駆動原理を示す。
【図９】本発明に係る放電ランプ用ホルダーおよび保持機構の他の実施例を示す。
【図１０】本発明に係る放電ランプ用ホルダーおよび保持機構の他の実施例を示す。
【符号の説明】
【００５４】
１０  放電ランプ
１１  発光部
１２  封止部
１５  口金
２０  反射ミラー
３０  ホルダー
３００  ホルダー筐体
３１  口金保持片
３１１  ホールド部
３１２  ヒンジ部
３１３  ロック受け部
３１４  口金受け部
３１５  固定部
３２  ロック機構部
３２１  ロック駆動部
３２１１  駆動ガイド
３２１２  駆動ガイド
３２２  ロック機構外枠部
３２２２  爪部
３３  口金当接部
３３１  ピン
３３２  ピン
３３３  ピン
３４  口金固定部
４１  口金保持片
４２  ロック機構部
４３  口金当接部
４４  口金固定部
【図１】
0004640090.tif 000002
【図２】
0004640090.tif 000003
【図３】
0004640090.tif 000004
【図４】
0004640090.tif 000005
【図５】
0004640090.tif 000006
【図６】
0004640090.tif 000007
【図７】
0004640090.tif 000008
【図８】
0004640090.tif 000009
【図９】
0004640090.tif 000010
【図１０】
0004640090.tif 000011